(57)【要約】【課題】ランドセルに取付ける補強金具の違和感や強度不足の解消およびエッジ部分でのけがを防止する。【解決手段】  反発力を有する薄厚の鋼板により形成した金具本体１１の中央に、細幅で壁面全体を外方向へ球面状に湾曲させた連結板部１２を形成し、該連結板部の両側を緩やかに同一方向で断面略コ字形に折り曲げた第１狭持板部１５と第２狭持板部１７を一体に形成し、該第１狭持板部と第２狭持板部の壁面全体をそれぞれ外方向へ球面状に湾曲させると共に、前記第１狭持板部１５の先端辺部に少なくとも２以上に係止爪部１６を設け、第２狭持板部１７の先方上下両端に前記第１狭持板部の上下両端より上下方向に突出させた覆片部１８を形成し、先端辺部には少なくとも１以上の係止爪部１９を設け、前記金具本体１１の表面略全体に保護カバー２１を取付けて形成したことを特徴とする。【選択図】  図３
0003110737.tif 000002
【実用新案登録請求の範囲】
【請求項１】
反発力を有する薄厚の鋼板により形成した金具本体（１１）の中間部に、細幅で壁面全体を外方向へ球面状に湾曲させた連結板部（１２）を形成し、該連結板部の両側を緩やかに折り曲げて第１狭持板部（１５）と第２狭持板部（１７）を一体に形成し、該第１狭持板部と第２狭持板部の壁面全体もそれぞれ外方向へ球面状に湾曲させると共に、前記第１狭持板部（１５）の先端辺部に少なくとも２以上に係止爪部（１６）を設け、第２狭持板部（１７）の先方上下両端に前記第１狭持板部の上下両端より上下方向に突出させた覆片部（１８）を形成し、先端辺部には前記第１狭持板部１５に設けた係止爪部の数と相違する数の係止爪部（１９）を設け、前記金具本体（１１）の表面略全体に保護カバー（２１）を取付けて形成したことを特徴とするランドセルの補強金具。
【請求項２】
前記保護カバー（２１）が、皮革、合成皮革または合成樹脂シートなどからなり、該保護カバーの表面にランドセルまたはかばんなどの表皮の色と同一色に着色または各種キャラクタ図形や模様などを施したことを特徴とする請求項１記載のランドセルの補強金具。
【考案の詳細な説明】
【技術分野】
【０００１】
本考案は、ランドセルまたはかばんなどを構成する背板とマチ板および蓋板の重合部分を縫着した側縁部分に取付ける補強金具の改良に関する。
【背景技術】
【０００２】
従来、ランドセルまたはかばんなど（以下、ランドセルという）を縫製する際、特にランドセルは、背板の周縁に設けた縫代部分にそれぞれ用途の相違するマチ板端部と蓋板の端部を三重にして縫着するため、その縫製には強度が要求されることから熟練した縫製技術が要求される。この重合部分は厚く硬いため縫製には強い力が要求されることからその多くは工業用ミシンにより縫製されるが、ランドセルの品質を保つため手縫いで縫製されるものも有る。
【０００３】
しかし、ランドセルは長期間（小学時代の６年間）使用すること、子供達はランドセルの取扱いが乱暴であることなどから、前記背板とマチ板および蓋板の重合する側縁部分（以下、側縁縫代部という）が、機械縫いの場合は縫製強度が不足し、手縫いの場合も各人の縫製技術が相違することなどから糸ほつれや糸切れ、または、縫代部分が変形しやすいため側縁縫代部の上端に補強金具を取付けて強度不足を解消している。
【０００４】
この側縁縫代部に取付ける補強金具は、金属板を断面コ字形に折り曲げて形成した金具本体の側面板部の先端辺に係止爪部を設けて形成され、該補強金具の開口部をランドセルの側縁部上方に開口部側から差し込んで側面板部を左右からかしめて狭着させて取付けたものが知られている（例えば、特許文献１、２参照）。
【０００５】
【特許文献２】特開平８−６６２２２号
【特許文献２】実開昭６３−４５６１５号
【考案の開示】
【考案が解決しようとする課題】
【０００６】
前記補強金具は、長期間の使用によってかしめ部分が開くのを防止するため、小さい金属片であるが肉厚の鋼板を使用して形成してあるため重く、また、補強金具は金属部材の地金の表面に錆止め用のメッキ加工を施しただけであるため、ランドセルの皮革部分の色と相違して違和感を有していた。さらには、ランドセルの長期間使用によってメッキ部分が剥がれたり補強金具の狭着力が弱わまって抜けやすい。さらにはまた、エッジ部分が摩耗して鋭くなり、該エッジ部分で怪我をするおそれが有るなど多くの問題点を有している。
【０００７】
そこで本考案は、補強金具を薄厚の鋼板を使用して軽量化を図ると共に、補強金具の表面全体に保護カバーを被せることにより、補強金具の狭着力の劣化や摩耗によるエッジ部分での怪我を防止し、且つ、保護カバーをランドセルの地色と同一色に着色することにより違和感のない補強金具を提供するものである。
【課題を解決するための手段】
【０００８】
本考案は、反発力を有する薄厚の鋼板により形成した金具本体１１の中央に、細幅で壁面全体を外方向へ球面状に湾曲させた連結板部１２を形成し、該連結板部の両側を緩やかに折り曲げて第１狭持板部１５と第２狭持板部１７を一体に形成し、該第１狭持板部と第２狭持板部の壁面全体をそれぞれ外方向へ球面状に湾曲させると共に、前記第１狭持板部１５の先端辺部に少なくとも２以上に係止爪部１６を設け、第２狭持板部１７の先方上下両端に前記第１狭持板部の上下両端より上下方向に突出させた覆片部１８を形成し、先端辺部には少なくとも１以上の係止爪部１９を設け、前記金具本体１１の表面略全体に保護カバー２１を取付けて形成したことを特徴とする。また、前記保護カバー２１が、皮革、合成皮革または合成樹脂シートなどからなり、該保護カバーの表面をランドセル１、または、かばんなどの表皮の色と同一色に着色、または、各種キャラクター図形や模様などを施したことを特徴とする。
【０００９】
したがって、金具全体を薄圧の鋼材を使用して軽量化を図ると共に、表面全体に保護カバーを被せることにより、補強金具の劣化や摩耗によるエッジ部分での怪我を防止し、且つ、保護カバーの表面をランドセルの地色と同一色に着色することによりランドセルとの違和感をなくし、さらには保護カバーの表面に各種模様やキャラクターを表現することにより子供の興味を引くワンポイントを有した補強金具を提供することができる。
【考案を実施するための最良の形態】
【００１０】
本考案の実施の形態を図面により説明すると、図１はランドセルの側縁縫代部上端に補強金具を取付けた状態を示す斜視図、図２は補強金具を取付けた側縁縫代部の蓋板を開いた状態を示す要部拡大斜視図、図３は補強金具の斜視図、図４は補強金具の中央横断面図、図５は金具本体に保護カバーを取付ける状態を示す斜視図、図６は側縁縫代部に補強金具を取付けた状態を示す要部拡大断面図である。本考案に係る補強金具１０は、反発力を有する薄厚鋼板をプレス機による型抜き加工で形成した金具本体１１の外周面全体を保護カバー２１で覆って形成してある。
【００１１】
前記金具本体１１は、中間部に細幅で縦長な連結板部１２が位置し、該連結板部の左右両側を同一方向に緩やかに断面略コ字形に折り曲げてそれぞれ第１狭持板部１５と第２狭持板部１７を形成してある。
【００１２】
前記連結板部１２と第１狭持板部１５および第２狭持板部１７の各壁面は、それぞれ外圧に対して反発力を具有してリブの役目を有するように外方向に向かってやや球面状に湾曲させて形成したことにより強度を高めてある。
【００１３】
前記第１狭持板部１５の先端辺部には、少なくとも２以上の係止爪部１６を設けてあり、第２狭持板部１７の先端辺部には、前記第１狭持板部１５に設けた係止爪部の数と相違する数の係止爪部（１９）、例えば、１つの係止爪部１９を形成して有る。前記係止爪部１６、１９は、それぞれ先端を先鋭にした三角形状で、その先端をそれぞれやや内側に傾斜させて有る。この係止爪部１６、１９の先端を内側に傾斜させたことにより、ランドセルの側縁縫代部７に補強金具１０を取付ける際、前記係止爪部１６、１９が側縁縫代部７にそれぞれ喰い込みやすくして補強金具１０が脱落するのを防止している。
【００１４】
前記第２狭持板部１７は、先方上下両端を前記第１狭持板部１５の上下両端よりそれぞれ上下方向に突出して内側に傾斜させた覆片部１８を設け、該覆片部で前記ランドセル１の左右両側の側縁縫代部７の上端部分を覆うことにより、該側縁縫代部を縫着してある糸ほつれや糸切れを防止したり、側縁縫合部の強度が弱くなって変形するのを防止することができる。
【００１５】
なお、本実施の形態では、係止爪部の数を第１狭持板部１５には二つ、第２狭持板部１７には一つと数を違えて形成したので覆片部１８を有した第２狭持板部１７が一目で識別することができるようにし、ランドセル１の側縁縫代部７に補強金具１０を取付ける際、覆片部１８を有した第２狭持板部１７の取付け方向を間違えずにマチ側に位置させて取付けることができる。
【００１６】
補強金具１０は、小さい金具であることと、背面側からは覆片部１８の形状が目立たないことから第２狭持板部１７側が判りにくいこと、さらに、ランドセル１の左右両側の側縁縫代部７に同じ形状の補強金具１０を取付けることなどから、前記したごとく、補強金具１０を側縁縫代部７への取付け作業を行う際、第２狭持板部１７の係止爪部１９の数を一つにすることで覆片部１８が有る方を一目で判別でき、左右いずれの側縁縫代部７に取付ける場合でも覆片部１８を上下逆さまにするだけで、該覆片部１８をマチ側に位置させて簡単に取付けることができ、取付け作業の間違えを防止して作業能率の向上を図ることができる。
【００１７】
なお、第１、２狭持板部１５、１７に設けた係止爪部１６、１９の数は、第１狭持板部１５には２個、第２狭持板部１７には１個と限定されることなく、反対の第１狭持板部１５に１個、第２狭持板部１７に２個でもよく、さらには、係止爪部の数を相違させれば２または３と増やしてもよい。
【００１８】
金具本体１１の各係止爪部１６、１９を除く補強金具１０の表面略全体を保護カバー２１で覆って形成したことにより、金具本体１１がさび付きによる劣化や、長期間の使用による摩耗によって鋭くなったエッジ部分で子供が怪我したりすることを防止することができる。また、保護カバー２１を皮革、合成皮革または合成樹脂シートで形成してあるため、該保護カバーの表面にランドセルの皮革の色と同じ色を着色したり、任意形状の模様を施すことが容易である。
【００１９】
ランドセル１の皮革の色、例えば、男物は黒や茶、女物は赤やピンクと同一色に保護カバー２１の表面を着色することにより、ランドセルの表皮と同色で違和感がなく一体的に形成することができるので、補強金具１０を目立たせずに使用することができる。さらには、保護カバー２１の表面に各種模様やキャラクターの絵を表現することにより、補強金具１０がワンポイントのマークとなり、他の同種ランドセルとの取り違えを防止することができると共に、ワンポイントのマークを子供の好きな模様やキャラクターにすることにより、さらにランドセルを楽しむことができる。
【００２０】
以下、本考案の実施形態の作用について説明すると、縫製が終了したランドセル１の側縁縫代部７に、該ランドセルと同一色に着色した保護カバー２１を装着した補強金具１０の取付ける場合、補強金具１０は、第１狭持板部１５と第２狭持板部１７の先端開口部分をハの字状のやや開いた状態にし、側縁縫代部７に開口部分が挿入しやすくしてある。
【００２１】
次いで、補強金具１０の係止爪部１９が一つの第２狭持板部１７側をマチ板３側に位置させ、該第２狭持板部１７と第１狭持板部１５の間の開口部を側縁縫代部７の端部から挿入すると共に、第２狭持板部１７の上端覆片部１８を側縁縫代部７の上端に位置させ、第１狭持板部１５と第２狭持板部１７を周知の締着冶具（図示せず）を使用して左右から側縁縫代部７側にかしめ止めする。
【００２２】
第１狭持板部１５と第２狭持板部１７によって側縁縫代部７を左右からかしめると係止爪部１６、１９の先端が側縁縫代部７に喰い込んで係止すると共に、第１狭持板部１５と第２狭持板部１７とが具有する反発力で側縁縫代部７を左右から狭着することができる。
【００２３】
したがって、補強金具１０は、係止爪部１６、１９の先端を側縁縫代部７に喰い込ませたこと、側縁縫代部７の側面を隙間を設けて第１狭持板部１５と第２狭持板部１７とで狭着させたことにより反発力が持続し長期間使用しても金属疲労による狭着力の劣化や、側縁縫代部の上端を覆片部１８で覆ったことにより縫着糸のほつれや糸切れ、さらには側縁縫代部の変形を防止し、ランドセルを長期間丈夫に使用することができる。
【００２４】
前記したごとく、補強金具１０のランドセル１へ取付けは、片方の第２狭持板部１７に覆片部１８を設けたことにより取付けの方向性が要求される。しかも補強金具１０は小さな金具で有ることから覆片部１８の有無を外観から確認して取付けるのは大変面倒で間違えやすい。そのため、側縁縫代部７に取付ける場合、覆片部１８を有した第２狭持板部１７の係止爪部１９の数を一つにし、他方の第１狭持板部１５には二つの係止爪部１６を設けて数を違えることにより、一目で覆片部１８を有した第２狭持板部１７を判別できるので、取付け方向の間違えを防止することができると共に作業能率の向上を図ることができる。
【００２５】
金具本体１１に被せた保護カバー２１は、各係止爪部１６、１９を除く表面略全体を覆って取付けたことにより、金具本体１１の表面が外気に直接触れないのでさび付きによる劣化や長期間の使用による摩耗を防止して補強金具１０による子供の怪我を防止することができる。
【００２６】
保護カバー２１は、皮革、合成皮革または合成樹脂シートなどで形成したことにより、表面に単一色を着色したり、任意形状の模様を施すことが容易であることから、ランドセル１の表皮の色、例えば、男物は黒や茶、女物は赤やピンクと同色に着色することにより、ランドセル１の表皮と同一色で違和感のない補強金具１０を一体的に形成することができるので補強金具１０を目立たせずに使用することができる。
【００２７】
さらには、保護カバー２１を単一色ではなく表面に各種模様やキャラクターの絵などを表現することにより、ワンポイントのマークとなり、他の同種ランドセルと一目で判別できるのでランドセル１の取り違えを防止することができると共に、子供の好きな模様やキャラクターにすることによりランドセル１をさらに楽しむことができる。
【図面の簡単な説明】
【００２８】
【図１】ランドセルの側縁縫代部上端に補強金具を取付けた状態を示す斜視図である。
【図２】補強金具を取付けた側縁縫代部の蓋板を開口した状態を示す要部拡大斜視図である。
【図３】補強金具の斜視図である。
【図４】補強金具の中央横断面図である。
【図５】金具本体に保護カバーを装着する状態を示す斜視図である。
【図６】側縁縫着部に補強金具を取付けた状態を示す要部拡大断面図である。
【符号の説明】
【００２９】
１    ランドセル
２    背板
３    マチ板
５    蓋板
７    側縁縫代部
１０    補強金具
１１    金具本体
１２    連結板部
１５    第１狭持板部
１６    係止爪部
１７    第２狭持板部
１８    覆片部
１９    係止爪部
２１    保護カバー
【図１】
0003110737.tif 000003
【図２】
0003110737.tif 000004
【図３】
0003110737.tif 000005
【図４】
0003110737.tif 000006
【図５】
0003110737.tif 000007
【図６】
0003110737.tif 000008